(57)【特許請求の範囲】
【請求項１】
内径が最も短い位置に可撓部を有し、該可撓部から周方向両側へ離隔した二つの位置がラジアル方向内側へ押圧されることによって前記可撓部がラジアル方向外側へ撓むようになしてある環体において、
内周からラジアル方向内側に向けて突起が設けてあり、
前記突起は可撓性を有し、前記可撓部以外に設けてあることを特徴とする環体。
【請求項２】
請求項１に記載の環体と、
該環体に取り付けられ、物品が吊り下げられる吊り部材と
を備えることを特徴とする吊り具。
【請求項３】
内径が最も短い位置に可撓部を有し、該可撓部から周方向両側へ離隔した二つの位置がラジアル方向内側へ押圧されることによって前記可撓部がラジアル方向外側へ撓むようになしてある環体と、
該環体に取り付けられ、物品が吊り下げられる吊り部材と
を備え、
前記環体の内周からラジアル方向内側に向けて突起が設けてあり、
前記環体は、前記二つの位置の間で周方向に分断されており、分断端部からラジアル方向外側へ延出された二つの凸片を有し、
前記吊り部材は、前記二つの凸片が挿入される挿入孔が設けられており、前記二つの凸片同士の離隔を規制する規制部を有することを特徴とする吊り具。
【請求項４】
前記突起は、前記可撓部以外に設けてあることを特徴とする請求項３に記載の吊り具。
【請求項５】
前記環体は楕円環状をなし、短軸方向両端部夫々に前記可撓部を有し、長軸方向両端部が前記二つの位置であり、一方の前記可撓部が分断されており、前記二つの凸片夫々の先端部には爪部が設けられており、該爪部は、前記二つの凸片が前記挿入孔を貫通することによって前記挿入孔の周縁部に係合するようにしてあり、
前記吊り部材は、前記物品が吊り下げられる吊り部を有し、該吊り部と前記規制部とが連結してあり、前記挿入孔を貫通した前記二つの凸片を中心に回転可能にしてあることを特徴とする請求項３又は４に記載の吊り具。
【請求項６】
前記突起は、周方向における前記凸片と同じ位置で前記凸片とは逆向きに設けてあることを特徴とする請求項３乃至５の何れか一項に記載の吊り具。
【請求項７】
請求項２乃至６の何れか一項に記載の吊り具と、
前記可撓部が撓んでいる場合の前記環体の最短内径より短く、前記可撓部が撓んでいない場合の前記環体の最短内径以上の外径を有し、前記環体が外嵌めされる杆部材と
を備える吊り装置であって、
前記杆部材には、前記突起が挿入される挿入部が設けてあることを特徴とする吊り装置。
【請求項８】
前記吊り具は請求項３乃至６の何れか一項に記載の吊り具であり、
前記突起の前記内周からの突出長さは、前記可撓部が撓んでいない場合の前記環体の最長内径の半分以下であることを特徴とする請求項７に記載の吊り装置。
【請求項９】
内径が最も短い位置に可撓部を有し、該可撓部から周方向両側へ離隔した二つの位置がラジアル方向内側へ押圧されることによって前記可撓部がラジアル方向外側へ撓むようになしてあり、内周からラジアル方向内側に向けて突起が設けてある環体と、該環体に取り付けられ、物品が吊り下げられる吊り部材とを備える吊り具と、
前記可撓部が撓んでいる場合の前記環体の最短内径より短く、前記可撓部が撓んでいない場合の前記環体の最短内径以上の外径を有し、前記環体が外嵌めされる杆部材と
を備える吊り装置であって、
前記杆部材には、前記突起が挿入される挿入部が設けてあることを特徴とする吊り装置。
【請求項１０】
前記挿入部は、前記杆部材の長さ方向に延びた溝状をなしていることを特徴とする請求項７乃至９の何れか一項に記載の吊り装置。
【請求項１１】
内径が最も短い位置に可撓部を有し、該可撓部から周方向両側へ離隔した二つの位置がラジアル方向内側へ押圧されることによって前記可撓部がラジアル方向外側へ撓むようになしてある環体において、
内周に、環の厚み方向に延びた溝状の凹部が設けてあることを特徴とする環体。
【請求項１２】
請求項１１に記載の環体と、
該環体に取り付けられ、物品が吊り下げられる吊り部材と
を備えることを特徴とする吊り具。
【請求項１３】
請求項１２に記載の吊り具と、
前記可撓部が撓んでいる場合の前記環体の最短内径より短く、前記可撓部が撓んでいない場合の前記環体の最短内径以上の外径を有し、前記環体が外嵌めされる杆部材と
を備える吊り装置であって、
前記杆部材には、前記凹部に挿入される凸部が設けてあることを特徴とする吊り装置。
【請求項１４】
前記凸部は、前記杆部材の長さ方向に延びた線状をなしていることを特徴とする請求項１３に記載の吊り装置。
【発明の詳細な説明】
【技術分野】
【０００１】
本発明は、可撓性を有する環体、吊り具、及び吊り装置に関する。
【背景技術】
【０００２】
従来、物品を吊り下げるための吊り装置が提案されている（特許文献１参照）。
特許文献１に記載の吊り装置は、枠状に折り曲げられた杆部材と、杆部材に外嵌めされた環体と、環体に取り付けられており、物品が吊り下げられる吊り部とを備えている。
【０００３】
環体は可撓部（文中「凸部」）を有する。環体の内径は、可撓部を有する部分が最短である。可撓部は、環体における可撓部から周方向両側へ離隔した二つの位置がラジアル方向内側へ押圧されることによって、ラジアル方向外側へ撓む。この結果、環体の最短内径が長くなる。可撓部が撓んでいる場合の最短内径は杆部材の外径より長く、可撓部が撓んでいない場合の最短内径は杆部材の外径以下である。
【０００４】
使用者は、杆部材に外嵌めされている環体を手で押圧する。このとき、環体の最短内径が長くなり、環体が杆部材から離隔するので、環体は、杆部材の長さ方向に移動可能になる。
使用者は、押圧した環体を適宜の位置まで移動させた後で、環体から手を離す。このとき、環体の最短内径が元に戻り、環体が杆部材に接触するので、環体の移動が規制される。
【先行技術文献】
【特許文献】
【０００５】
【特許文献１】特許第４６２５４４０号公報
【発明の概要】
【発明が解決しようとする課題】
【０００６】
押圧された環体は周方向に容易に回動する。故に、環体の周方向の位置決めが困難である。
【０００７】
本発明は斯かる事情に鑑みてなされたものであり、その主たる目的は、周方向の位置決めが容易な環体、吊り具、及び吊り装置を提供することにある。
【課題を解決するための手段】
【０００８】
本発明に係る環体は、内径が最も短い位置に可撓部を有し、該可撓部から周方向両側へ離隔した二つの位置がラジアル方向内側へ押圧されることによって前記可撓部がラジアル方向外側へ撓むようになしてある環体において、内周からラジアル方向内側に向けて突起が設けてあり、前記突起は可撓性を有し、前記可撓部以外に設けてあることを特徴とする。
【００１０】
本発明に係る吊り具は、本発明に係る環体と、該環体に取り付けられ、物品が吊り下げられる吊り部材とを備えることを特徴とする。
本発明に係る吊り具は、内径が最も短い位置に可撓部を有し、該可撓部から周方向両側へ離隔した二つの位置がラジアル方向内側へ押圧されることによって前記可撓部がラジアル方向外側へ撓むようになしてある環体と、該環体に取り付けられ、物品が吊り下げられる吊り部材とを備え、前記環体の内周からラジアル方向内側に向けて突起が設けてあり、前記環体は、前記二つの位置の間で周方向に分断されており、分断端部からラジアル方向外側へ延出された二つの凸片を有し、前記吊り部材は、前記二つの凸片が挿入される挿入孔が設けられており、前記二つの凸片同士の離隔を規制する規制部を有することを特徴とする。
【００１１】
本発明に係る吊り具は、前記突起は、前記可撓部以外に設けてあることを特徴とする。
【００１２】
本発明に係る吊り具は、前記環体は楕円環状をなし、短軸方向両端部夫々に前記可撓部を有し、長軸方向両端部が前記二つの位置であり、一方の前記可撓部が分断されており、前記二つの凸片夫々の先端部には爪部が設けられており、該爪部は、前記二つの凸片が前記挿入孔を貫通することによって前記挿入孔の周縁部に係合するようにしてあり、前記吊り部材は、前記物品が吊り下げられる吊り部を有し、該吊り部と前記規制部とが連結してあり、前記挿入孔を貫通した前記二つの凸片を中心に回転可能にしてあることを特徴とする。
【００１３】
本発明に係る吊り具は、前記突起は、周方向における前記凸片と同じ位置で前記凸片とは逆向きに設けてあることを特徴とする。
【００１４】
本発明に係る吊り装置は、本発明に係る吊り具と、前記可撓部が撓んでいる場合の前記環体の最短内径より短く、前記可撓部が撓んでいない場合の前記環体の最短内径以上の外径を有し、前記環体が外嵌めされる杆部材とを備える吊り装置であって、前記杆部材には、前記突起が挿入される挿入部が設けてあることを特徴とする。
【００１５】
本発明に係る吊り装置は、本発明に係る吊り具であり、前記突起の前記内周からの突出長さは、前記可撓部が撓んでいない場合の前記環体の最長内径の半分以下であることを特徴とする。
本発明に係る吊り装置は、内径が最も短い位置に可撓部を有し、該可撓部から周方向両側へ離隔した二つの位置がラジアル方向内側へ押圧されることによって前記可撓部がラジアル方向外側へ撓むようになしてあり、内周からラジアル方向内側に向けて突起が設けてある環体と、該環体に取り付けられ、物品が吊り下げられる吊り部材とを備える吊り具と、前記可撓部が撓んでいる場合の前記環体の最短内径より短く、前記可撓部が撓んでいない場合の前記環体の最短内径以上の外径を有し、前記環体が外嵌めされる杆部材とを備える吊り装置であって、前記杆部材には、前記突起が挿入される挿入部が設けてあることを特徴とする。
【００１６】
本発明に係る吊り装置は、前記挿入部は、前記杆部材の長さ方向に延びた溝状をなしていることを特徴とする。
【００１７】
本発明に係る環体は、内径が最も短い位置に可撓部を有し、該可撓部から周方向両側へ離隔した二つの位置がラジアル方向内側へ押圧されることによって前記可撓部がラジアル方向外側へ撓むようになしてある環体において、内周に、環の厚み方向に延びた溝状の凹部が設けてあることを特徴とする。
【００１８】
本発明に係る吊り具は、本発明に係る環体と、該環体に取り付けられ、物品が吊り下げられる吊り部材とを備えることを特徴とする。
【００１９】
本発明に係る吊り装置は、本発明に係る吊り具と、前記可撓部が撓んでいる場合の前記環体の最短内径より短く、前記可撓部が撓んでいない場合の前記環体の最短内径以上の外径を有し、前記環体が外嵌めされる杆部材とを備える吊り装置であって、前記杆部材には、前記凹部に挿入される凸部が設けてあることを特徴とする。
【００２０】
本発明に係る吊り装置は、前記凸部は、前記杆部材の長さ方向に延びた線状をなしていることを特徴とする。
【００２１】
本発明にあっては、杆部材の挿入部に環体の突起を挿入することによって、環体は周方向に容易に位置決めされる。
【００２２】
本発明にあっては、環体の可撓部以外の内周からラジアル方向内側に向けて突起が設けてある。従って、突起が可撓部の撓みを阻害する虞はない。
【００２３】
本発明にあっては、環体が、杆部材に外嵌めされる。このために、使用者は、二つの凸片を離隔させることによって環体を分断端部から開放し、開放された環体の内部に、杆部材を挿通する。
突起の突出長さは、可撓部が撓んでいない場合の環体の最長内径の半分以下であるので、環体の杆部材に対する外嵌めを突起が阻害することが抑制される。
【００２４】
本発明にあっては、環体は楕円環状をなしている。長軸方向両端部はラジアル方向外側へ突出している部分であるので、この部分をラジアル方向内側へ押圧すれば短軸方向両端部（即ち２個の可撓部）がラジアル方向外側へ撓むことが直感的に分かりやすい。
吊り部材は、挿入孔を貫通した二つの凸片を中心として回転可能であるので、吊り部に吊り下げられる物品の二つの凸片回りの向きを容易に変更することができる。
【００２５】
本発明にあっては、杆部材の挿入部は、杆部材の長さ方向に延びた溝状をなしている。故に、環体を杆部材の長さ方向の任意の位置に移動させることが可能である。
【００２６】
本発明にあっては、突起が凸片に対応して設けられているので、突起の位置が分かりやすい。
また、環体が２個の突起を備えているので、一方が破損した場合でも、他方が杆部材の挿入部に挿入されることによって、環体は周方向に容易に位置決めされる。
【００２７】
本発明にあっては、杆部材の凸部を環体の凹部に挿入することによって、環体は周方向に容易に位置決めされる。
【００２８】
本発明にあっては、杆部材の凸部は、杆部材の長さ方向に延びた線状をなしている。故に、環体を杆部材の長さ方向の任意の位置に移動させることが可能である。
【発明の効果】
【００２９】
本発明の環体、吊り具、及び吊り装置による場合、杆部材の挿入部に環体の突起を挿入するか、又は、杆部材の凸部を環体の凹部に挿入することによって、環体を周方向に容易に位置決めすることができる。
【図面の簡単な説明】
【００３０】
【図１】本発明の実施の形態１に係る吊り装置の構成を略示する斜視図である。
【図２】吊り装置が備える杆部材の構成を略示する斜視図である。
【図３】吊り装置が備える吊り具の構成を略示する斜視図である。
【図４】吊り具が移動規制されている状態を略示する断面図である。
【図５】吊り具が移動可能な状態を略示する正面図である。
【図６】本発明の実施の形態２に係る吊り装置の構成を略示する断面図である。
【図７】本発明の実施の形態３に係る吊り装置の構成を略示する断面図である。
【発明を実施するための形態】
【００３１】
以下、本発明を、その実施の形態を示す図面に基づいて詳述する。以下の説明では、図において矢符で示す上下、前後、及び左右を使用する。
【００３２】
実施の形態  １．
図１は、本発明の実施の形態１に係る吊り装置１の構成を略示する斜視図である。
図２は、吊り装置１が備える杆部材３の構成を略示する斜視図である。
図３は、吊り装置１が備える吊り具１３の構成を略示する斜視図である。
図４は、吊り具１３が移動規制されている状態を略示する断面図である。
図５は、吊り具１３が移動可能な状態を略示する正面図である。
吊り装置１は、洗濯物を干すための物干しハンガーとして構成されている。
図１に示すように、吊り装置１は、枠体１１と、支持体１２と、各複数個（図１の場合、各２個のみ図示）の吊り具１３，１３，…、中継部材１４，１４，…、及び挟持具１５，１５，…とを備えている。
【００３３】
まず、吊り装置１の各部について説明する。
枠体１１は、各複数個の杆部材３，３，…と連結部材１１１，１１１，…とを備えている。
図１、図２、図４、及び図５に示すように、各杆部材３は円筒状をなしている。杆部材３の左側部には、挿入部３１が設けられている。挿入部３１は、杆部材３の長さ方向（円筒の軸方向）の溝状をなしている。溝の開口の幅方向は円筒の周方向であり、溝の深さ方向は円筒のラジアル方向である。
【００３４】
更に詳細には、杆部材３は、断面Ｃ字状の大径の第１管状部材３ａの内部に断面Ｃ字状の小径の第２管状部材３ｂが挿通されたような形状をなしている。第１管状部材３ａは外径Ｄを有し、第２管状部材３ｂは内径ｄを有する（Ｄ，ｄはＤ＞ｄ）。第１管状部材３ａのＣ字の開口周縁部と第２管状部材３ｂのＣ字の開口周縁部とは連結されている。第１管状部材３ａ及び第２管状部材３ｂ夫々のＣ字の開口並びに第２管状部材３ｂの内部が、挿入部３１として機能する。
なお、杆部材３は、第２管状部材３ｂを有していなくてもよい。また、杆部材３は挿入部３１が設けられた円柱状でもよい。
【００３５】
図１に示すように、各連結部材１１１は、Ｉ字管状、Ｔ字管状、又はＬ字管状をなしている。杆部材３，３，…夫々の両端部に各連結部材１１１，１１１が連結されることによって、杆部材３，３同士が連結され、枠体１１が構成されている。
なお、枠体１１は、連結部材１１１，１１１，…を備えていなくてもよい。この場合、杆部材３，３，…は、例えば溶接によって連結される。また、枠体１１は、枠状に折り曲げられた１個の杆部材３からなる構成でもよい。
【００３６】
支持体１２は、掛止部１２１及び支持部１２２を有する。
掛止部１２１は、物干し竿又はロープ等に掛止される。
支持部１２２は、掛止部１２１から吊り下げられている。支持部１２２は、枠体１１の前後方向中央部を支持している。
枠体１１は、支持体１２を介して物干し竿又はロープ等に吊り下げられる。枠体１１を物干し竿又はロープ等に取り付ける構成は、支持体１２の構成に限定されない。
【００３７】
各吊り具１３は、環体４と吊り部材５とを備えている。
環体４は、杆部材３に外嵌めされている。
吊り部材５は、環体４に取り付けられている。
環体４及び吊り部材５は、夫々例えば合成樹脂を用いて一体成形してある。
【００３８】
次に、図３〜図５を参照しつつ、吊り具１３の構成を詳述する。
吊り具１３の環体４は、環状本体４１と、各二つの凸片４２，４２及び押圧部４３，４３と、突起４４とを備えている。
環状本体４１は、可撓性を有する楕円環状をなしている。環状本体４１の短軸方向は上下方向であり、長軸方向は左右方向である。
【００３９】
環状本体４１の短軸方向両端部は可撓部４ａ，４ａである。環状本体４１の短軸方向両端部側は、長軸方向両端部側よりもラジアル方向内側へ突出している。いわば、可撓部４ａ，４ａは、環状本体４１の長径と同径の仮想的な真円環よりも内側へ突出している。
環状本体４１は、周方向に分断されている。環状本体４１の分断位置は、環状本体４１の短軸方向下端部である。つまり、下側の可撓部４ａは分断されている。
【００４０】
凸片４２，４２は、環状本体４１の分断端部からラジアル方向外側へ延出されている。各凸片４２は半円柱状をなし、凸片４２，４２は半円の弦側同士が対向している。
凸片４２，４２は、通常、互いに若干離隔している。凸片４２，４２を左右方向又は環状本体４１の周方向に大幅に離隔させると、環状本体４１が撓んで、環状本体４１が分断端部から開放される。
凸片４２，４２夫々の先端部には、各１個の爪部４５が設けられている。爪部４５，４５は、左右方向且つ互いに背反方向へ突出している。
【００４１】
押圧部４３，４３は、上側の可撓部４ａ（又は下側の可撓部４ａ）から周方向両側へ離隔した二つの位置に１つずつ配されている。環状本体４１の分断位置は、押圧部４３，４３の配置位置の間である。押圧部４３，４３夫々は正面視Ｔ字状をなし、１個の結合突起４３１と２個の規制片４３２，４３２とを備えている。
押圧部４３の結合突起４３１は、環状本体４１の長軸方向両端部外周からラジアル方向外側へ突出している。つまり、２個の押圧部４３，４３の結合突起４３１，４２１同士は、左右方向且つ背反方向へ突出している。
押圧部４３の規制片４３２，４３２は、結合突起４３１の先端部から、環状本体４１の周方向に延設してある。各規制片４３２と環状本体４１とは、通常、適長離隔している。
【００４２】
押圧部４３，４３が、互いに接近する方向へ（即ち環状本体４１のラジアル方向内側へ）押圧されると、環状本体４１は撓む。具体的には、可撓部４ａ，４ａ夫々がラジアル方向外側へ撓む。この結果、環状本体４１は楕円環状から真円環状に変形する。
以下では、可撓部４ａ，４ａのラジアル方向外側への撓みを、単に可撓部４ａ，４ａの撓みという。
【００４３】
可撓部４ａ，４ａが撓んでおらず環状本体４１が楕円環状をなしているとき、環状本体４１の短径Ａ１はＡ１≦Ｄであり、長径Ａ２はＡ２＞Ｄである。
可撓部４ａ，４ａが撓んでおり環状本体４１が真円環状をなしているとき、環状本体４１の内径Ａ３はＡ１≦Ｄ＜Ａ３＜Ａ２である。
換言すれば、杆部材３の外径Ｄは、可撓部４ａ，４ａが撓んでいる場合の環体４の最短内径より短く、可撓部４ａ，４ａが撓んでいない場合の環体４の最短内径以上の外径を有する。
【００４４】
ところで、可撓部４ａ，４ａが撓み過ぎて環状本体４１の長軸方向の長さが外径Ｄ以下になることはない。何故ならば、可撓部４ａ，４ａが過剰に撓もうとしても、環状本体４１における押圧部４３，４３近傍の外周が規制片４３２，４３２に接触するので、環状本体４１の撓み過ぎ（延いては可撓部４ａ，４ａの撓み過ぎ）が抑制されるからである。
【００４５】
突起４４は、環状本体４１の長軸方向左端部内周から右側（ラジアル方向内側）へ突出している。つまり、突起４４と、左側の押圧部４３の結合突起４３１とは、互いに背反方向へ突出している。また、突起４４は、可撓部４ａ，４ａ以外に設けてある。
突起４４の環状本体４１からの突出長さは、環状本体４１の長径Ａ２の半分以下であり、本実施の形態では長径Ａ２の１／４〜１／３程度である。
突起４４及び押圧部４３，４３は、可撓部４ａ，４ａの撓みを阻害しない。
【００４６】
吊り部材５は、吊り部５１及び規制部５２を有する。
吊り部５１は、上部が開放された半環状をなし、具体的にはＵ字環状をなしている。
規制部５２は、吊り部５１の開放された上部を閉鎖している。このために、規制部５２は、吊り部５１の両上端部を連結している。この結果、吊り部材５は環状をなす。
規制部５２は横姿勢の円盤状をなしている。規制部５２の円盤の中心位置には、円形の挿入孔５３が設けられている。挿入孔５３は、規制部５２を縦方向に貫通している。
【００４７】
挿入孔５３には、上側から（即ち吊り部材５の環状の外側から）凸片４２，４２が挿入される。凸片４２，４２が挿入孔５３を貫通することによって、爪部４５，４５は、挿入孔５３の周縁部に係合する。
この結果、凸片４２，４２が規制部５２に対して相対的に上方移動しようとしても、爪部４５，４５が挿入孔５３の周縁部に当接するので、凸片４２，４２の上方移動が規制される。つまり、凸片４２，４２の挿入孔５３からの無用な抜脱が抑制される。
【００４８】
一方、凸片４２，４２が規制部５２に対して相対的に挿入孔５３の周方向に回動しようとした場合、この回動を阻害する物は存在しない。換言すれば、吊り部材５は、挿入孔５３を貫通している凸片４２，４２を中心に回動可能である。
挿入孔５３に挿入された凸片４２，４２は、挿入孔５３の内周面によって、凸片４２，４２同士の離隔が規制される。ただし、凸片４２，４２同士の接近は規制されない。
規制部５２によって凸片４２，４２同士の離隔が規制されるので、環体４に対する吊り部材５の取り付け後は、環状本体４１の無用な開放が規制される。従って、吊り具１３が杆部材３から脱落することが抑制される。
【００４９】
各中継部材１４はＳ字状の掛止具である。中継部材１４は、吊り部５１に掛止されている。
【００５０】
各挟持具１５は洗濯ばさみ１５１と中継部材１５２とを備えている。
洗濯ばさみ１５１は、図示しない洗濯物を挟持する。
中継部材１５２はＹ字状をなしている。中継部材１５２におけるＹ字の二股部は、洗濯ばさみ１５１に取り付けられている。中継部材１５２におけるＹ字の基部は、中継部材１４に取り付けられている。
以上の結果、中継部材１４及び挟持具１５（並びに洗濯ばさみ１５１に挟持された洗濯物）は、吊り部材５から吊り下げられる。つまり、これらは本発明の実施の形態における物品として機能する。
【００５１】
次に、吊り具１３の使い方を説明する。
使用者は、まず、吊り部材５が取り付けられていない環体４を準備する。次に、使用者は環状本体４１又は凸片４２，４２を両手で摘み、凸片４２，４２を左右方向又は環状本体４１の周方向に離隔させることによって、環状本体４１を開放する。次いで、使用者は、環状本体４１の開放部分を通して、杆部材３を環状本体４１の内部へ挿入する。
【００５２】
次に、使用者は、突起４４を挿入部３１へ挿入しつつ、環体４から手を離す。このとき、環状本体４１の弾性復元力により、環状本体４１が元の形状に戻る。この結果、環体４が杆部材３に外嵌めされ、可撓部４ａ，４ａが上下方向から杆部材３に接触（Ａ１＜Ｄであれば、杆部材３を挟持）する。故に、環体４に係る杆部材３の長さ方向の無用な移動、及び周方向の無用な回動、並びに環体４の杆部材３からの脱落が抑制される。また、使用者が意識しなくても、凸片４２，４２が環状本体４１の真下にて下方へ突出する。
【００５３】
仮に、突起４４が存在しない場合、杆部材３を環状本体４１の内部へ挿入したときに、使用者が手作業で凸片４２，４２を環状本体４１の真下に配置することは困難である。何故ならば、環状本体４１は杆部材３の周方向に容易に回動するので、杆部材３の周方向の位置決めが困難だからである。
【００５４】
環体４を杆部材３に外嵌めした後、使用者は、吊り部材５を環体４に取り付ける。この結果、吊り具１３が形成される。
このために、使用者は、挿入孔５３に上側から凸片４２，４２を挿入する。このとき、爪部４５，４５が挿入孔５３の内周面に接触するので、環状本体４１が撓んで、凸片４２，４２は互いに接触する。
凸片４２，４２が挿入孔５３を貫通して爪部４５，４５が規制部５２の下側に出ると、環状本体４１の弾性復元力により、凸片４２，４２は、夫々が挿入孔５３の内周面に接触するまで互いに離隔する。また、爪部４５，４５が挿入孔５３の周縁部に係合する。
【００５５】
使用者は、吊り部５１に中継部材１４及び挟持具１５を吊り下げる。これは、吊り部材５を環体４に取り付ける前に行なってもよく、取り付けた後で行なってもよい。
吊り部材５を環体４に取り付けた後で吊り部５１に中継部材１４及び挟持具１５を吊り下げる場合、凸片４２，４２を中心に吊り部材５を回動させることができるので、吊り部材５が回転不可能である場合に比べて、吊り部５１に対する中継部材１４及び挟持具１５の吊り下げは容易である。同じ理由で、挟持具１５に対する洗濯物の挟持も容易である。
【００５６】
吊り具１３の形成後、又は環体４の杆部材３に対する外嵌め後、使用者は、環体４を杆部材３の長さ方向に移動させることができる。
このために、使用者は、片手で押圧部４３，４３を左右両側から摘むことによって、環状本体４１をラジアル方向内側へ押圧する。このとき、可撓部４ａ，４ａがラジアル方向外側へ撓むので、環状本体４１の杆部材３に対する接触が解除される。
【００５７】
この状態で、使用者は、環体４を杆部材３の長さ方向に移動させる。このとき、突起４４が挿入部３１に挿入されているので、環体４に係る杆部材３の周方向の無用な回動が抑制される。
次に、使用者は、環体４から手を離す。このとき、環状本体４１の弾性復元力により、環状本体４１が元の形状に戻る。この結果、環体４が杆部材３に再び外嵌めされる。また、使用者が意識しなくても、凸片４２，４２が環状本体４１の真下にて下方へ突出する。挿入部３１は杆部材３の長さ方向に延びた溝状なので、環体４に係る杆部材３の長さ方向の配置位置は挿入部３１によって限定されない。
【００５８】
ところで、突起４４の環状本体４１からの突出長さは、短い方が好ましい。何故ならば、長すぎる突起４４は、環体４の杆部材３に対する嵌脱を阻害し得るからである。ただし、突起４４の環状本体４１からの突出長さは、少なくとも可撓部４ａ，４ａが撓んでいる場合に（望ましくは可撓部４ａ，４ａが撓んでいない場合にも）挿入部３１に挿入される長さである。
なお、突起４４は可撓性を有していてもよい。この場合、突起４４は、環体４の杆部材３に対する嵌脱時に容易に変形するので、突起４４による嵌脱の阻害が更に抑制される。
第２管状部材３ｂの内径ｄは、挿入部３１に対する突起４４の挿入時に突起４４が第２管状部材３ｂの内面に接触しない程度に長いことが望ましい。
【００５９】
以上のような環体４は、環状本体４１の長軸方向両端部に押圧部４３，４３が設けてあるので、環体４を押圧すべき二つの位置が分かりやすい。
環体４、延いては吊り具１３は、単体の杆部材３に取り付けることも、枠体１１を構成している杆部材３に取り付けることもできる。つまり、使用者は、適宜のタイミングで杆部材３に吊り具１３を取り付けることができる。杆部材３に取り付けられている吊り具１３が破損した場合、使用者は、破損した吊り具１３を除去してから新たな吊り具１３を杆部材３に取り付ければよい。
【００６０】
本実施の形態では、突起４４は可撓部４ａ，４ａの何れからも離隔しているが、可撓部４ａの一方に接近配置されていてもよい。また、突起４４は、可撓部４ａの撓みを阻害しないのであれば、可撓部４ａに突設されていてもよい。
突起４４は、可撓部４ａ，４ａが撓んでいないときには挿入部３１に挿入され、可撓部４ａ，４ａが撓んでいるときには挿入部３１から抜脱されていてもよい。このような構成においては、挿入部３１は溝状に限定されず、複数個の穴状でもよい。複数個の穴状の挿入部３１は、突起４４が挿入されることによって、環体４に係る杆部材３の長さ方向の配置位置を制限することができる。
【００６１】
なお、環体４が押圧部４３，４３を備えておらず、環状本体４１の長軸方向両端部が直接的に押圧される構成でもよい。この場合であっても、環状本体４１の長軸方向両端部は短軸方向両端部に比べてラジアル方向外側へ突出している部分であるので、環体４を押圧すべき二つの位置は分かりやすい。
【００６２】
また、２個の挿入部３１，３１が杆部材３の左右両側部に設けられていてもよい。この場合、環体４は、突起４４が右側へ突出する向きに限定されず、左側へ突出する向きで杆部材３に外嵌めされてもよい。
環体４は、複数個の突起４４，４４，…が周方向に離隔配置される構成でもよい。ただし、この場合には挿入部３１を杆部材３の周方向に複数個並設する必要がある。
可撓部４ａは１個又は３個以上であってもよい。
可撓部４ａは例えば楕円形状又は真円形状の環状本体４１の周方向の一部がラジアル方向内側へ山状に湾曲した部分であってもよい。
【００６３】
環体４は、環状本体４１が分断されていなくてもよい。この場合、枠体１１の組み立て前に、杆部材３が環状本体４１に挿通される。
環体４は、吊り装置１の杆部材３に限定されず、物干し竿、商品陳列用のバー、又は家庭用の突っ張り棒等に外嵌めされてもよい。ただし、これらには挿入部３１と同様の挿入部が設けられている必要がある。
【００６４】
吊り部材５の構成は本実施の形態の構成に限定されず、例えば、特許文献１に記載の規制部材と同様の構成でもよい。
凸片４２，４２は、挿入孔５３に対して挿脱可能であってもよい。この場合、挿入孔５３に挿入されている凸片４２，４２を挿入孔５３から抜脱すれば、環体４から吊り部材５が取り外される。吊り部材５が取り外された環体４は、杆部材３に対する嵌脱が容易である。
【００６５】
実施の形態  ２．
図６は、本発明の実施の形態２に係る吊り装置１の構成を略示する断面図である。図６は実施の形態１の図４に対応する。
本実施の形態の吊り装置１は、実施の形態１の吊り装置１と略同様の構成である。以下では、実施の形態１との差異について説明し、その他、実施の形態１に対応する部分には同一符号を付してそれらの説明を省略する。
【００６６】
吊り装置１を構成する枠体１１は、実施の形態１の杆部材３，３，…に替えて、杆部材６，６，…を備えている。
杆部材６は杆部材３に対応する。両者の差異は２点あり、１点目は杆部材６が円柱状であること、２点目は、実施の形態１の挿入部３１に対応する挿入部６１が、杆部材６の下部に設けられていることである。
【００６７】
挿入部６１は、杆部材６の長さ方向（円柱の軸方向）の溝状をなしている。溝の開口の幅方向は円柱の周方向であり、溝の深さ方向は円柱のラジアル方向内側である。
なお、杆部材６は杆部材３と同様の円筒状でもよい。この場合、杆部材６は挿入部３１と略同様の挿入部６１を備えるが、挿入部６１は、杆部材６の下側部に設けられている。
【００６８】
吊り具１３を構成する環体４は、実施の形態１の突起４４に替えて、突起４６，４６を備えている。
突起４６，４６は突起４４に対応する。ただし、突起４６，４６夫々は、環状本体４１の分断端部から上側（ラジアル方向内側）へ突出している。つまり、突起４６，４６は、環状本体４１の周方向における凸片４２，４２と同じ位置で凸片４２，４２とは逆向きに設けてある。
【００６９】
各突起４６の突出長さは、突起４４の突出長さよりも短い。何故ならば、突起４４は環状本体４１の長軸方向左端部に設けられているので挿入部３１から遠いが、突起４６は環状本体４１の短軸方向下端部に設けられているので挿入部６１に近いからである。故に、突起４６，４６が環体４の杆部材３に対する嵌脱を阻害する虞はない。
【００７０】
吊り具１３の使用者は、環体４を、実施の形態１の環体４と同様の手順で杆部材６に外嵌めする。このとき、使用者は突起４６，４６を挿入部６１へ挿入する。すると、環体４に係る杆部材６の長さ方向の無用な移動、及び周方向の無用な回動、並びに環体４の杆部材６からの脱落が抑制される。また、使用者が意識しなくても、凸片４２，４２が環状本体４１の真下にて下方へ突出する。
【００７１】
以上のような吊り装置１は、実施の形態１と同様の作用効果を奏する。
また、挿入部６１が下向きに開口しているので、挿入部６１に異物が溜まることが抑制される。
突起４６，４６は凸片４２，４２に対応して設けられているので、突起４６，４６の突出長さが短くとも、突起４６，４６の配置位置は分かりやすい。
更に、突起４６，４６の一方が欠けても、他方を挿入部６１に挿脱できるのであれば、環体４に係る杆部材６の長さ方向の無用な移動、及び周方向の無用な回動、並びに環体４の杆部材６からの脱落は抑制される。
【００７２】
実施の形態  ３．
図７は、本発明の実施の形態３に係る吊り装置１の構成を略示する断面図である。図７は実施の形態１の図４に対応する。
本実施の形態の吊り装置１は、実施の形態１の吊り装置１と略同様の構成である。以下では、実施の形態１との差異について説明し、その他、実施の形態１に対応する部分には同一符号を付してそれらの説明を省略する。
【００７３】
吊り装置１を構成する枠体１１は、実施の形態１の杆部材３，３，…に替えて、杆部材６，６，…を備えている。
杆部材６は杆部材３に対応する。両者の差異は３点あり、１点目は杆部材６が円柱状であること、２点目は杆部材６が挿入部３１に相当するものを備えていないこと、３点目は杆部材６の上部に凸部６２が設けられていることである。
【００７４】
凸部６２は、杆部材６の長さ方向（円柱の軸方向）に延びた直線状をなしている。凸部６２の突出方向は円柱のラジアル方向外側である。
なお、杆部材６は杆部材３と同様の円筒状でもよい。この場合、凸部６２は円筒の外周面からラジアル方向外側に突出した中実のものでもよく、円筒の周壁が部分的にラジアル方向外側に湾曲したような中空のものでもよい。
【００７５】
吊り具１３を構成する環体４は、実施の形態１の環状本体４１と略同様の環状本体４１を備え、実施の形態１の突起４４に替えて、凹部４７を備えている。
環状本体４１における上側の可撓部４ａは、周方向中央部がラジアル方向外側に湾曲したような形状を有する。
凹部４７は、上側の可撓部４ａの湾曲部分の内周側である。凹部４７は、環状本体４１の厚み方向に延びた溝状をなしており、環状本体４１を厚み方向に貫通している。
【００７６】
凹部４７の深さは凸部６２の突出長さ以上であり、凹部４７の周方向の長さは、凸部６２の周方向の長さよりも長い。故に、凸部６２を凹部４７に挿入しても、凹部４７の内面と凸部６２との間には空隙が生じる。従って、凹部４７の内面と凸部６２とが接触することによって上側の可撓部４ａのラジアル方向外側への撓みが阻害されることが抑制される。
【００７７】
吊り具１３の使用者は、環体４を、実施の形態１の環体４と同様の手順で杆部材６に外嵌めする。このとき、使用者は凸部６２を凹部４７へ挿入する。すると、環体４に係る杆部材６の長さ方向の無用な移動、及び周方向の無用な回動、並びに環体４の杆部材６からの脱落が抑制される。また、使用者が意識しなくても、凸片４２，４２が環状本体４１の真下にて下方へ突出する。
【００７８】
以上のような吊り装置１は、実施の形態１と同様の作用効果を奏する。
凹部４７は下向きに開口しているので、凹部４７に異物が溜まることが抑制される。
凸部６２は杆部材６の長さ方向に延びた直線状なので、環体４に係る杆部材６の長さ方向の配置位置は凸部６２によって限定されない。
なお、凸部６２は直線状に限定されず、点線状でもよい。ここで、点線状の凸部６２は、杆部材６の長さ方向に複数個の凸状部分が並設されたものである。点線状の凸部６２の凸状部分が凹部４７に挿入されることによって、環体４に係る杆部材６の長さ方向の配置を位置決めすることができる。
【００７９】
環体４は、吊り装置１の杆部材６に限定されず、物干し竿、商品陳列用のバー、又は家庭用の突っ張り棒等に外嵌めされてもよい。これらには凸部６２と同様の凸部が設けられていることが望ましいが、凸部が設けられていない場合でも、環体４の取り付け自体は可能である。
【００８０】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
また、本発明の効果がある限りにおいて、吊り装置１、吊り具１３、又は環体４に、実施の形態１〜３に開示されていない構成要素が含まれていてもよい。
各実施の形態に開示されている構成要件（技術的特徴）はお互いに組み合わせ可能であり、組み合わせによって新しい技術的特徴を形成することができる。
【符号の説明】
【００８１】
１    吊り装置
１３  吊り具
３，６  杆部材
３１，６１  挿入部
４    環体
４ａ  可撓部
４２  凸片
４４，４６  突起
４５  爪部
４７  凹部
５    吊り部材
５１  吊り部
５２  規制部
５３  挿入孔
６２  凸部
【図１】
0006441752.tif 000002
【図２】
0006441752.tif 000003
【図３】
0006441752.tif 000004
【図４】
0006441752.tif 000005
【図５】
0006441752.tif 000006
【図６】
0006441752.tif 000007
【図７】
0006441752.tif 000008